(57)【要約】【課題】フィニッシャーに備えられている後処理機構を原稿用紙に対して併用可能である画像形成装置のフィニッシャー及び画像形成装置を提供する。【解決手段】フィニッシャー２は、原稿載置部５０１から原稿を１枚ずつ送り出してスリット２０８に搬送する原稿送り部５００と、スリット２０８からの原稿及び排出ローラ対１１０から搬出された用紙をパンチ処理可能なパンチ部４０１と、パンチ部４０１の下流に配設されると共に用紙の搬送路を、サブ排出トレイ４０８に直接排出する搬送路と用紙受台４０３を介してメイン排出トレイ４０６に排出する搬送路とに切り換える搬送分岐ガイド４０９と、用紙受台４０３に搬入された用紙にステイプル処理を施すステイプル装置４０４とを備えた。【選択図】　図１
2004109646.tif 000002
【特許請求の範囲】
【請求項１】
画像形成装置本体の搬出口から搬出される転写紙を用紙排出部に搬送する第１の用紙搬送路と、この第１の用紙搬送路途中に設けられ、転写紙に所定の後処理を施す後処理部とを有する画像形成装置用フィニッシャーにおいて、載置された原稿を１枚ずつ送り出して画像読み取り位置に搬送する原稿送り部と、画像の読み取り後の原稿を前記後処理部を介して原稿排出部に搬送する第１の原稿搬送路とを備えたことを特徴とする画像形成装置用フィニッシャー。
【請求項２】
転写紙を前記搬出口から用紙排出部に直接搬送する第２の用紙搬送路を備えたことを特徴とする請求項１記載の画像形成装置のフィニッシャー。
【請求項３】
前記用紙排出部は第１、第２の用紙排出部を有し、第１の用紙搬送路に導かれた転写紙を第１の用紙排出部に排出し、第２の用紙搬送路に導かれた転写紙を第２の用紙排出部に排出する用紙搬送路切替部を備えたことを特徴とする請求項２記載の画像形成装置用フィニッシャー。
【請求項４】
原稿を前記画像読み取り位置から前記原稿排出部に直接搬送する第２の原稿搬送路を備えたことを特徴とする請求項１〜３のいずれかに記載の画像形成装置用フィニッシャー。
【請求項５】
前記原稿排出部は第１、第２の原稿排出部を有し、第１の原稿搬送路に導かれた原稿を第１の原稿排出部に排出し、第２の原稿搬送路に導かれた原稿を第２の原稿排出部に排出する原稿搬送路切替部を備えたことを特徴とする請求項４記載の画像形成装置用フィニッシャー。
【請求項６】
前記第１の用紙排出部と前記第１の原稿排出部とは共有され、前記第１の用紙搬送路に導かれた転写紙と、前記第１の原稿排出部に導かれた原稿とは共通する排出部へ排出されることを特徴とする請求項５記載の画像形成装置用フィニッシャー。
【請求項７】
前記後処理部はステイプル装置であることを特徴とする請求項１〜６のいずれかに記載の画像形成装置用フィニッシャー。
【請求項８】
前記後処理部は穿孔装置であることを特徴とする請求項１〜６のいずれかに記載の画像形成装置用フィニッシャー。
【請求項９】
前記後処理部は搬送方向上流側から穿孔装置とステイプル装置とからなり、前記第２の用紙搬送路は、前記穿孔装置とステイプル装置との間から第２の用紙排出部へ繋がっていることを特徴とする請求項３〜６のいずれかに記載の画像形成装置用フィニッシャー。
【請求項１０】
前記画像読み取り位置に、搬送中の原稿の画像を読み取る原稿読取部を配置したことを特徴とする請求項１〜９のいずれかに記載の画像形成装置用フィニッシャー。
【請求項１１】
読み取られた原稿の画像を転写紙に転写する画像形成部と、転写紙を収納部から画像形成部を介して搬出口へ搬送する搬送路を有する画像形成装置本体と、請求項１〜１０のいずれかに記載の画像形成装置用フィニッシャーとから構成される画像形成装置。
【請求項１２】
原稿を載置するコンタクトガラス面に沿って走行可能にされると共に光源及び光路形成用のミラーを有し、原稿の画像を形成経路を経て撮像部に導く光学式原稿読み取り部を備え、前記光学式原稿読み取り部は走行範囲内の特定位置で、前記光源及びミラーの少なくともミラーを兼用して、前記原稿送り部から送り出された原稿の画像を前記撮像部へ導くものであることを特徴とする請求項１１記載の画像形成装置。
【請求項１３】
原稿を載置する原稿台と、前記原稿台に載置された原稿の画像を読み取るメイン読取部と、請求項１〜１０のいずれかに記載の画像形成装置用フィニッシャーの前記画像読み取り位置に対向して配設されると共に固定位置から搬送中の原稿の画像を読み取るオプション読取部とを備えたことを特徴とする請求項１１又は１２に記載の画像形成装置。
【発明の詳細な説明】
【０００１】
【発明の属する技術分野】
本発明は、複写機やプリンタ等の画像形成装置本体に装着され、用紙に後処理を行う画像形成装置のフィニッシャー及び画像形成装置に関するものである。
【０００２】
【従来の技術】
従来、原稿用紙の後処理（以降、原稿後処理と称す）が行える画像形成装置がある（例えば、特許文献１参照）。この装置は、例えば、図９に示すように、複写機１５１の上部に、原稿１５２を載置する原稿載置台１５３と、コンタクトガラス１５４上において画像の読み取りが行われた後に排出された原稿１５２を受け止める原稿排出トレイ１５５とを備えた自動原稿送り装置（ＡＤＦ）１５０が設けられている。原稿排出トレイ１５５には、排紙された原稿１５２を紙揃えする紙揃え手段である揺動レバー（図示せず）及び、この揺動レバーにより紙揃えされた原稿１５２をステイプル綴じするためのステイプル装置１５６が取り付けられている。ここで、ステイプル処理された原稿は、原稿読み取り装置で読み込まれる際、一枚づつ原稿を読み込ませる必要があるため、ステイプルが取り外された状態で読み取り動作が行われる。そして、原稿読み取り後、原稿排出トレイ１５５に排出された原稿１５２は、ステイプル装置１５６によってステイプル処理などの原稿後処理を行える。
【０００３】
また、例えば、図１０に示すように、複写機１６１の上部に、原稿を載置する原稿載置台１６２と、原稿読み取り位置１６３において画像の読み取りが行われた後に排出された原稿を受け止める原稿排出トレイ１６４と、紙揃え手段（側板１６５及び規制板１６６）と、ステイプル装置１６７とを備えた自動原稿送り装置１６０が設けられており、上記と同様、原稿後処理が行える画像形成装置がある（例えば、特許文献２参照）。
【０００４】
【特許文献１】
特開平５−１１６４７７号公報
【特許文献２】
特開２００２−１５４７３８号公報
【０００５】
【発明が解決しようとする課題】
しかしながら、上記従来の技術では、画像形成装置が、画像形成装置本体から排出された転写紙の、紙揃え、パンチ及びステイプル綴じなどの用紙後処理を行える装置、所謂フィニッシャーを備えている場合、原稿用及び転写紙用のステイプル装置が個々に必要となり、コスト増となってしまうという問題がある。
【０００６】
本発明は、上記の問題点に鑑みてなされたものであり、その目的は、上記フィニッシャーに備えられている、後処理機構等を、原稿用紙に対して併用可能である画像形成装置のフィニッシャー及び画像形成装置を提供することにある。
【０００７】
【課題を解決するための手段】
請求項１に記載の発明は、画像形成装置本体の搬出口から搬出される転写紙を用紙排出部に搬送する第１の用紙搬送路と、この第１の用紙搬送路途中に設けられ、転写紙に所定の後処理を施す後処理部とを有する画像形成装置用フィニッシャーにおいて、載置された原稿を１枚ずつ送り出して画像読み取り位置に搬送する原稿送り部と、画像の読み取り後の原稿を前記後処理部を介して原稿排出部に搬送する第１の原稿搬送路とを備えたことを特徴としている。
【０００８】
請求項１に記載の発明によれば、画像形成装置本体の搬出口から搬出される転写紙を用紙排出部に搬送する第１の用紙搬送路が設けられる。また、前記載置された原稿は、原稿送り部により１枚ずつ画像読み取り位置に搬送された後に前記第１の用紙搬送路途中に設けられた後処理部で所定の後処理が施され原稿排出部に搬送される。この場合、転写紙に後処理を行うための前記後処理部を用いて原稿に後処理を施すことが可能になる。
【０００９】
請求項２に記載の発明は、請求項１記載の画像形成装置のフィニッシャーにおいて、転写紙を前記搬出口から用紙排出部に直接搬送する第２の用紙搬送路を備えたことを特徴としている。請求項２に記載の発明によれば、転写紙が前記搬出口から用紙排出部に直接搬送されるので、転写紙を用紙排出部に搬送する処理がより高速になる。
【００１０】
請求項３に記載の発明は、請求項２記載の画像形成装置のフィニッシャーにおいて、前記用紙排出部は第１、第２の用紙排出部を有し、第１の用紙搬送路に導かれた転写紙を第１の用紙排出部に排出し、第２の用紙搬送路に導かれた転写紙を第２の用紙排出部に排出する用紙搬送路切替部を備えたことを特徴としている。請求項３に記載の発明によれば、用紙搬送路切替部によって搬送路が切り替えられることにより、第１の用紙搬送路に導かれた転写紙は第１の用紙排出部に排出され、第２の用紙搬送路に導かれた転写紙は第２の用紙排出部に排出される。
【００１１】
請求項４に記載の発明は、請求項１〜３のいずれかに記載の画像形成装置のフィニッシャーにおいて、原稿を前記画像読み取り位置から前記原稿排出部に直接搬送する第２の原稿搬送路を備えたことを特徴としている。請求項４に記載の発明によれば、原稿が前記画像読み取り位置から前記原稿排出部に直接搬送されるので、原稿を前記原稿排出部に搬送する処理がより高速になる。
【００１２】
請求項５に記載の発明は、請求項４記載の画像形成装置のフィニッシャーにおいて、前記原稿排出部は第１、第２の原稿排出部を有し、第１の原稿搬送路に導かれた原稿を第１の原稿排出部に排出し、第２の原稿搬送路に導かれた原稿を第２の原稿排出部に排出する原稿搬送路切替部を備えたことを特徴としている。請求項５に記載の発明によれば、原稿搬送路切替部によって搬送路が切り替えられることにより、第１の原稿搬送路に導かれた原稿は第１の原稿排出部に排出され、第２の原稿搬送路に導かれた原稿は第２の原稿排出部に排出される。
【００１３】
請求項６に記載の発明は、請求項５記載の画像形成装置のフィニッシャーにおいて、前記第１の用紙排出部と前記第１の原稿排出部とは共有され、前記第１の用紙搬送路に導かれた転写紙と、前記第１の原稿排出部に導かれた原稿とは共通する排出部へ排出されることを特徴とする。請求項６に記載の発明によれば、同一の排出部が前記第１の用紙排出部及び前記第１の原稿排出部として用いられ、前記第１の用紙搬送路に導かれた転写紙と、前記第１の原稿排出部に導かれた原稿とは共通する排出部へ排出される。
【００１４】
請求項７に記載の発明は、請求項１〜６のいずれかに記載の画像形成装置のフィニッシャーにおいて、前記後処理部はステイプル装置であることを特徴としている。請求項７に記載の発明によれば、転写紙にステイプル処理を行うためのステイプル装置を用いて原稿にステイプル処理を施すことが可能となる。
【００１５】
請求項８に記載の発明は、請求項１〜６のいずれかに記載の画像形成装置のフィニッシャーにおいて、前記後処理部は穿孔装置であることを特徴としている。請求項８に記載の発明によれば、転写紙に穿孔処理を施すための穿孔装置を用いて原稿に穿孔処理を施すことが可能となる。
【００１６】
請求項９に記載の発明は、請求項３〜６のいずれかに記載の画像形成装置用フィニッシャーにおいて、前記後処理部は搬送方向上流側から穿孔装置とステイプル装置とからなり、前記第２の用紙搬送路は、前記穿孔装置とステイプル装置との間から第２の用紙排出部へ繋がっていることを特徴とする。請求項９に記載の発明によれば、転写紙は、前記穿孔装置を介してステイプル装置の手前から第２の用紙排出部へ排出される。
【００１７】
請求項１０に記載の発明は、請求項１〜９のいずれかに記載の画像形成装置のフィニッシャーにおいて、前記画像読み取り位置に、搬送中の原稿の画像を撮像する撮像手段を配置したことを特徴とする。請求項１０に記載の発明によれば、搬送中の原稿の画像を撮像する撮像手段が前記画像読み取り位置に配置される。
【００１８】
請求項１１に記載の発明は、読み取られた原稿の画像を転写紙に転写する画像形成部と、転写紙を収納部から画像形成部を介して搬出口へ搬送する搬送路を有する画像形成装置本体と、請求項１〜１０のいずれかに記載の画像形成装置用フィニッシャーとから構成される画像形成装置である。請求項１１に記載の発明によれば、画像形成装置本体の収納部から取り出された転写紙は、画像形成部で原稿の画像が転写されると共に、搬出口から請求項１〜１０のいずれかに記載の画像形成装置用フィニッシャーへ搬出されるので、原稿の画像が転写された転写紙に対して後処理を行うことが可能となる。
【００１９】
請求項１２に記載の発明は、請求項１１記載の画像形成装置において、原稿を載置するコンタクトガラス面に沿って走行可能にされると共に光源及び光路形成用のミラーを有し、原稿の画像を形成経路を経て撮像部に導く光学式原稿読み取り部を備え、前記光学式原稿読み取り部は走行範囲内の特定位置で、前記光源及びミラーの少なくともミラーを兼用して、前記原稿送り部から送り出された原稿の画像を前記撮像部へ導くものであることを特徴としている。請求項１２に記載の発明によれば、コンタクトガラス面に載置された原稿の画像を撮像部に導く光学式原稿読み取り部が有する前記光源及びミラーの少なくともミラーが、前記原稿送り部から送り出された原稿の画像を前記撮像部へ導くために兼用される。
【００２０】
請求項１３に記載の発明は、請求項１１又は１２に記載の画像形成装置において、原稿を載置する原稿台と、前記原稿台に載置された原稿の画像を読み取るメイン読取部と、請求項１〜１０のいずれかに記載の画像形成装置用フィニッシャーの前記画像読み取り位置に対向して配設されると共に固定位置から搬送中の原稿の画像を読み取るオプション読取部とを備えたことを特徴としている。請求項１３に記載の発明によれば、メイン読取部により原稿台に載置された原稿の画像が読み取られ、前記画像読み取り位置に対向して画像形成装置本体に配設されたオプション読取部により請求項１〜１０のいずれかに記載の画像形成装置用フィニッシャーで搬送中の原稿の画像が固定位置から読み取られる。
【００２１】
【発明の実施の形態】
以下、本発明に係る実施形態を図面に基づいて説明する。なお、各図において同一の構成については、同一の符号を付し、その説明を省略する。
【００２２】
（第１実施形態の構成）
図１は本発明の第１の実施形態に係る画像形成装置の正面断面図である。この画像形成装置は、像形成部１００、原稿読取部２００及び給紙部３００を備えた複写機本体１と、複写機本体１の一側辺部に付設されたフィニッシャー２を備えた複写機等から構成されている。
【００２３】
まず、複写機本体１について説明する。像形成部１００は、電子写真プロセスを用いて画像を形成するものであり、回転可能に支持されたドラム状の感光体１０１、この感光体１０１の周囲に配設された帯電部１０２、現像部１０３、クリーニング部１０４、レーザ走査ユニット１０５、転写ローラ１０６、及び定着ローラ対１０７を備えている。帯電部１０２は、感光体１０１の表面を所定電位に均一に帯電させるものである。レーザ走査ユニット１０５は、後述する制御部３から送信された画像データに基づきレーザービームを感光体１０１の表面に照射し、感光体１０１表面に静電潜像を形成する。現像部１０３は、静電潜像にトナーを付着させて画像を顕在化させるものであり、転写ローラ１０６は、顕在化したトナー像を用紙に転写するものであり、また、定着ローラ対１０７は、用紙に転写されたトナー像を定着させるものである。クリーニング部１０４は、画像転写後に感光体１０１の表面に残留しているトナーを清掃するものである。
【００２４】
また、複写機本体１の上部には、用紙排出部１０８が設けられ、定着ローラ対１０７から搬送されてきた用紙が、排出ローラ対１０９により搬送され、用紙排出部１０８に排出される。また、排出ローラ対１１０は、定着ローラ対１０７から搬送されてきた用紙をフィニッシャー２に排出するもので、後述する制御部からの制御信号に応じて駆動される排出分岐ガイド１１１により、用紙の排出方向を排出ローラ対１０９側と排出ローラ対１１０側とに切り換え可能になっている。
【００２５】
原稿読取部２００は、複写機本体１の上部に設置され、原稿の画像を読み取って画像データを得るための所謂スキャナー部であり、原稿が載置されるコンタクトガラス２０１、コンタクトガラス２０１上部に設けられ可倒式に構成された原稿マット２０２、原稿に光照射する光源である第１ランプ２０３と原稿からの反射光を反射させる第１ミラー２０４とを一体化してなる第１ミラーユニット２２０、第１ミラー２０４からの光を反射させる第２ミラー２０５と第３ミラー２０６とを一体化してなる第２ミラーユニット２４０、第２ミラーユニット２４０からの反射光を絞る結像レンズ２０７、結像レンズ２０７によって反射光が絞られ結像された光像を光電変換して画像データを得る撮像素子（ＣＣＤ）からなるＣＣＤユニット２６０、後述するフィニッシャー２側からの原稿画像の読み取り部位であるスリット２０８、及びスリット２０８を介して原稿に光照射する光源である第２ランプ２０９と原稿からの反射光を反射させる第４ミラー２１０とを一体化してなる第３ミラーユニット２８０を備えている。
【００２６】
第１ミラーユニット２２０及び第２ミラーユニット２４０は、図示しない駆動モータにより所定の間隔を有してコンタクトガラス２０１に沿ってそれぞれ往復移動可能にされ、後述の制御部３からの制御信号に応じて第１ランプ２０３で光照射しつつコンタクトガラス２０１上に載置された原稿を走査し、結像レンズ２０７を介してＣＣＤユニット２６０に原稿の走査画像を結像する。
【００２７】
また、第２ミラーユニット２４０は、制御部３からの制御信号に応じて図示しない駆動モータにより第４ミラー２１０と第３ミラー２０６とが相対する位置（図中、破線の第３ミラー２０６の位置）まで移動され、第２ランプ２０９で光照射しつつスリット２０８を通してフィニッシャー２側で搬送される原稿からの画像を、第４ミラー２１０、第３ミラー２０６及び結像レンズ２０７を介してＣＣＤユニット２６０に結像する。
【００２８】
給紙部３００は、複写機本体１の下部に設置され、サイズ、縦横向きの種類毎の用紙が収納される給紙カセット３０１、３０２および手差し給紙部３０３を備える。また、給紙部３００は、給紙カセット３０１、３０２から像形成部１００へ用紙を搬送する搬送路３０４と、手差し給紙部３０３から像形成部１００へ用紙を搬送する搬送路３０５を備える。各給紙カセット３０１、３０２および手差し給紙部３０３は、収納されている用紙（転写紙）を取り出すためのピックアップローラ３０６、３０７、３０８と、用紙を１枚ずつ搬送路に送り出す給紙ローラ対３０９、３１０、３１１とを備える。搬送路３０４は、用紙を搬送する搬送ローラ対３１２、３１３と、像形成部１００の手前で、搬送されてくる用紙を所定位置に待機させるためのレジストローラ対３１４とを備える。また、搬送路３０５は、レジストローラ対３１４の上流側で搬送路３０４と合流している。
【００２９】
次に、フィニッシャー２について説明する。フィニッシャー２は、フィニッシャー本体４００、及びこのフィニッシャー本体４００上部に設けられた原稿送り部５００（ＡＤＦ）を備えている。フィニッシャー２は、上記複写機本体１の排出ローラ対１１０及び原稿送り部５００から搬入されてきた用紙に対して後処理としてパンチ処理を行うパンチ部４０１、搬入されてきた用紙を搬送する搬入ローラ対４０２、搬送されてきた用紙を用紙束として一時的にストックする用紙受台４０３、用紙束に対して後処理としてステイプル処理を行うステイプル装置４０４、昇降機構４０５によって昇降可能にされたメイン排出トレイ４０６、用紙受台４０３から搬送されてきた用紙をメイン排出トレイ４０６に排出する排出ローラ対４０７、フィニッシャー本体４００の上部一側面側に配設されたサブ排出トレイ４０８、搬入ローラ対４０２からの用紙の搬送方向を用紙受台４０３側とサブ排出トレイ４０８側とに切り換える搬送分岐ガイド４０９、及びサブ排出トレイ４０８に用紙を排出する排出ローラ対４１０を備える。
【００３０】
また、フィニッシャー本体４００には、用紙受台４０３に用紙を搬入する受台搬入ローラ対４１１，４１２，４１３，４１４と、用紙受台４０３への用紙の搬入を案内する可動案内部材４１５、４１６、４１７及び静止案内部４１８が、用紙の搬入方向に対して異なった位置に設けられている。これにより、サイズの異なる用紙や、用紙の向きにより搬送方向に対して長さの異なる用紙を、それぞれの用紙のサイズや向きに応じて用紙受台４０３に搬入する位置を変化させることにより、用紙の搬送方向の端部が揃った状態に紙揃えして用紙受台４０３に搬入することが可能にされている。
【００３１】
また、用紙受台４０３の幅方向に間隔をおいて一対の幅寄せ板４１９が設けられ、用紙受台４０３の裏面側に設けられた用紙の幅寄せ機構（図示せず）によって、幅寄せ板４１９が用紙受台４０３の表面に沿って幅方向に往復移動自在に配置されている。これにより、用紙は、一対の幅寄せ板４１９によって左右から挟まれた状態で用紙受台４０３に搬入され、制御部３からの制御信号に応じて駆動される幅寄せ機構によって一対の幅寄せ板４１９が内側に移動させられることにより、用紙を幅方向に紙揃えすることが可能にされている。
【００３２】
これにより、用紙受台４０３に搬入された用紙が、縦横方向に紙揃えされ、ステイプル装置４０４でのステイプル処理が可能にされている。
【００３３】
また、用紙受台４０３は、用紙受台４０３に搬入された用紙の下部端を受け止めて保持する受止部材（図示せず）と、受止部材を用紙の搬出方向に移動させる駆動部（図示せず）とを備える。そして、制御部３からの制御信号に応じて駆動部が駆動することにより、受止部材で保持された用紙は、排出ローラ対４０７まで搬送され、排出ローラ対４０７によってメイン排出トレイ４０６に排出される。
【００３４】
昇降機構４０５は、制御部３からの制御信号に応じてメイン排出トレイ４０６上に排出された用紙束の上面が、排出ローラ対４０７からの用紙束の排出に適した基準位置に位置するように、メイン排出トレイ４０６の位置を昇降するものである。
【００３５】
原稿送り部５００は、原稿載置部５０１、原稿載置部５０１に載置されている原稿を取り出すためのピックアップローラ５０２、原稿を搬入する搬入ローラ対５０３、原稿をスイッチバックさせて原稿の表裏を反転させる反転ローラ対５０４、及び原稿の有無を検出する原稿検出スイッチ５０５とを備え、原稿載置部５０１に載置された原稿を一枚ずつスリット２０８に接触させつつパンチ部４０１の上流側に搬送するものである。
【００３６】
図２は、画像形成装置のブロック構成図である。図２において、画像形成装置は、像形成部１００、原稿読取部２００、給紙部３００、各種の入力キースイッチ等として機能する操作表示部６００、フィニッシャー本体４００と原稿送り部５００とを備えるフィニッシャー２の各ブロック、及び操作表示部６００からの入力信号に応じて制御信号を出力し、これら各ブロックに制御信号を出力して動作を制御する制御部３とを備える。
【００３７】
図３は、操作表示部６００の表示の一例を示す図である。操作表示部６００は、例えば液晶表示パネルの表面に透明の感圧センサが設けられたタッチパネルで構成され、種々の情報を操作画面６０１に表示すると共に、スタートキー６０２、セットキー６０３、ステイプルキー６０４，６０６、パンチキー６０５，６０７、及び原稿処理モードキー６０８等の入力手段として機能する。
【００３８】
スタートキー６０２は、複写動作の開始を指示するキーである。セットキー６０３は、複写枚数（セット数）を設定入力するキーで、セットキー６０３が押圧されることに応答して複写枚数（セット数）を指示するためのキーが表示され、それぞれ数値入力が可能にされる。ステイプルキー６０４は、画像転写後の用紙にステイプル処理を行う設定キーである。パンチキー６０５は、画像転写後の用紙にパンチ処理を行う設定キーである。ステイプルキー６０６は、原稿載置部５０１に載置されている原稿にステイプル処理を行う設定キーである。パンチキー６０７は、原稿載置部５０１に載置されている原稿にパンチ処理を行う設定キーである。原稿処理モードキー６０８は、複写動作を行うことなく原稿載置部５０１に載置されている原稿への後処理のみを実行させる原稿処理モードの設定キーである。
【００３９】
図２に戻って、制御部３は、複写機本体１及びフィニッシャー２の制御プログラムを記憶するＲＯＭ（Ｒｅａｄ　Ｏｎｌｙ　Ｍｅｍｏｌｙ）や一時的にデータを保管するＲＡＭ（Ｒａｎｄｏｍ　Ａｃｃｅｓｓ　Ｍｅｍｏｒｙ）が内蔵されたマイクロコンピュータ、及び原稿読取部２００で得られた原稿の画像データを記憶するＲＡＭ等からなり、スタートキー６０２が押圧されると、複写動作を行わせる制御信号を像形成部１００、原稿読取部２００、給紙部３００、及びフィニッシャー２の各ブロックに出力してその動作を制御する。
【００４０】
（第１実施形態の動作）
図４、５は、図１に示す画像形成装置の動作を説明するためのフローチャートである。まず、操作表示部６００に、例えば図３に示す操作画面６０１が表示され、セットキー６０３、ステイプルキー６０４，６０６、パンチキー６０５，６０７、及び原稿処理モードキー６０８等の入力が受付けられる。そして、これらのキーが押圧されたことが検出されることにより、それぞれ複写枚数（セット数）、画像転写後の用紙にステイプル処理を行う設定、原稿にステイプル処理を行う設定、画像転写後の用紙にパンチ処理を行う設定、原稿にパンチ処理を行う設定、及び原稿処理モードの設定等、各種設定が行われる（ステップＳ１０１）。
【００４１】
次に、スタートキー６０２が押圧されたことが検出されると（ステップＳ１０２でＹＥＳ）、制御部３により、原稿検出スイッチ５０５で得られた原稿検出信号が確認され、原稿載置部５０１に原稿が載置されていることが検出された場合（ステップＳ１０３でＹＥＳ）は、原稿載置部５０１に原稿が載置されている原稿の画像を読み取るべくステップＳ１０４へ移行し、一方、原稿が検出されない場合（ステップＳ１０３でＮＯ）には、コンタクトガラス２０１上に載置された原稿から画像を読み取るべくステップＳ１０５へ移行する。
【００４２】
次に、コンタクトガラス２０１上に載置された原稿から画像を読み取る場合、ステップＳ１０５で、制御部３からの制御信号に応じて、第１ランプ２０３で原稿の読取面を光照射しつつ図示しない駆動モータが駆動されることにより、第１ミラーユニット２２０及び第２ミラーユニット２４０が所定の間隔を有してコンタクトガラス２０１に沿って移動され、コンタクトガラス２０１上に載置された原稿が走査されて、結像レンズ２０７を介してＣＣＤユニット２６０に原稿の走査画像が結像され、ＣＣＤユニット２６０で得られた原稿の画像データが、制御部３へ出力されると共に制御部３によって記憶される。これにより、原稿画像の読み取り処理を終了し、ステップＳ１１７（図５参照）へ移行する。
【００４３】
一方、ステップＳ１０４で、原稿載置部５０１に原稿が載置されている原稿の画像を読み取る場合、原稿載置部５０１に載置されている原稿が、制御部３からの制御信号に応じて、ピックアップローラ５０２により一枚取り出されると共に搬入ローラ対５０３へ搬送され、搬入ローラ対５０３により一枚ずつスリット２０８に接触するようにして反転ローラ対５０４へ搬送され、さらに反転ローラ対５０４でスイッチバックされて表裏反転されると共に搬入ローラ対４０２へ搬送され、パンチ部４０１でパンチ処理可能な位置まで搬送される。
【００４４】
なお、反転ローラ対５０４の上流側に用紙の搬送路を切り換える搬送分岐ガイドを備え、用紙を反転ローラ対５０４へ搬送してスイッチバックさせる搬送路と、用紙を反転ローラ対５０４を経由せず、従ってスイッチバックさせない搬送路とを切換え可能に構成し、原稿にステイプル処理を行う設定の有無に応じて搬送分岐ガイドの方向を切り替えて、原稿を反転ローラ対５０４を経由して搬送するか否か、すなわち原稿に対するスイッチバック処理の有無を切換え可能な構成としてもよい。
【００４５】
次に、制御部３からの制御信号に応じて図示しない駆動モータにより第２ミラーユニット２４０が第４ミラー２１０と第３ミラー２０６とが相対する位置まで移動され、上記原稿が搬入ローラ対５０３により搬送される動作と同期して第２ランプ２０９で光照射しつつスリット２０８を通して得られるフィニッシャー２側の原稿からの画像が、第４ミラー２１０、第３ミラー２０６及び結像レンズ２０７を介してＣＣＤユニット２６０に結像され、ＣＣＤユニット２６０で得られた原稿の画像データが、制御部３へ出力されると共に制御部３によって記憶される（ステップＳ１０６）。なお、制御部３は、例えばＣＣＤユニット２６０で鏡像として得られた画像データを元の像に戻す等の画像処理を行うこととしてもよい。
【００４６】
これにより、フィニッシャー２側で原稿をスリット２０８に接触するようにして搬送しつつ、複写機本体１側でスリット２０８を通して得られる原稿の画像が取得されるので、この原稿１枚分の画像が走査されて制御部３によって記憶される。また、コンタクトガラス２０１上に載置された原稿から画像を読み取るための第２ミラーユニット２４０と、ＣＣＤユニット２６０とを原稿載置部５０１に載置された原稿から画像を読み取る手段として用いることができるので、原稿載置部５０１に載置された原稿から画像を読み取る手段をフィニッシャー２側で別途備える必要がない。
【００４７】
次に、制御部３により原稿にパンチ処理を行う設定の有無が確認され、パンチ処理を行う設定がされている場合（ステップＳ１０７でＹＥＳ）、原稿は、制御部３からの制御信号に応じて、パンチ部４０１でパンチ処理され（ステップＳ１０８）、一方、パンチ処理を行う設定がされていない場合（ステップＳ１０７でＮＯ）、原稿はパンチ処理されることなくステップＳ１０９へ移行する。
【００４８】
次に、制御部３により原稿にステイプル処理を行う設定の有無が確認され、スティプル処理を行う設定がされていない場合（ステップＳ１０９でＮＯ）、制御部３からの制御信号に応じて搬送分岐ガイド４０９がサブ排出トレイ４０８側に切り換えられると共に搬入ローラ対４０２により搬送された原稿が排出ローラ対４１０によりサブ排出トレイ４０８に排出される（ステップＳ１１０）。
【００４９】
この場合、スリット２０８、反転ローラ対５０４、搬入ローラ対４０２、及び排出ローラ対４１０を経由してサブ排出トレイ４０８まで原稿が搬送される搬送路が第２の原稿搬送路に相当し、サブ排出トレイ４０８が第２の原稿排出部に相当する。また、これにより、ステイプル処理の設定がされていない場合には、原稿が用紙受台４０３を経由せずに直接サブ排出トレイ４０８に搬送されるので、原稿をサブ排出トレイ４０８に搬送する処理がより高速になる。
【００５０】
次に、原稿検出スイッチ５０５によって原稿載置部５０１に載置された原稿が無くなったことが検出された場合、制御部３は、原稿画像の読取が終了したと判断（ステップＳ１１１でＹＥＳ）して画像形成処理を行うべくステップＳ１１６へ移行し、一方、原稿載置部５０１に載置された原稿が検出された場合、制御部３は、原稿画像の読取はまだ終了していないと判断（ステップＳ１１１でＮＯ）して次の原稿の画像を読み取るべく再びステップＳ１０４へ移行する。
【００５１】
一方、ステイプル処理を行う設定がされている場合（ステップＳ１０９でＹＥＳ）、制御部３からの制御信号に応じて搬送分岐ガイド４０９が用紙受台４０３側に切り換えられると共に搬入ローラ対４０２により搬送された原稿が受台４０３側に搬送される。そして、制御部３により、原稿のサイズや原稿の向きに応じて可動案内部材４１５，４１６，４１７、受台搬入ローラ対４１１，４１２，４１３，４１４の動作が制御され、例えば横向きのＡ４版の原稿の場合には、可動案内部材４１５、４１６及び４１７がいずれも原稿を案内しない位置に駆動されることにより、原稿は静止案内部４１８に案内されると共に受台搬入ローラ対４１４によって用紙受台４０３に搬入され、例えば縦向きのＡ３版の原稿の場合には、可動案内部材４１５が原稿を案内する位置に駆動されることにより、原稿は可動案内部材４１５に案内されると共に受台搬入ローラ対４１１によって用紙受台４０３に搬入される。これにより、原稿は、端部が揃った状態に紙揃えされて用紙受台４０３に搬入される。
【００５２】
そして、制御部３からの制御信号に応じて図示しない幅寄せ機構が駆動されて原稿を左右から挟みこんだ一対の幅寄せ板４１９が内側に移動させられ、原稿が幅方向に紙揃えされる。これにより、原稿が、縦横方向に紙揃えされる（ステップＳ１１２）。
【００５３】
次に、制御部３により、原稿検出スイッチ５０５で得られた原稿検出信号が確認され、原稿載置部５０１に載置された原稿が検出された場合、制御部３は、原稿画像の読取はまだ終了していないと判断（ステップＳ１１３でＮＯ）して次の原稿の画像を読み取るべく再びステップＳ１０４へ移行し、一方、原稿載置部５０１に載置された原稿が無くなったことが検出された場合、制御部３は、原稿画像の読取が終了したと判断（ステップＳ１１３でＹＥＳ）し、用紙受台４０３に搬入されると共に紙揃えされた原稿が、制御部３からの制御信号に応じてステイプル装置４０４によりステイプル処理される（ステップＳ１１４）。
【００５４】
次に、制御部３からの制御信号に応じて図示しない駆動部が駆動することにより、ステイプル処理された原稿が図示しない受止部材で保持されて排出ローラ対４０７まで搬送され、排出ローラ対４０７によってメイン排出トレイ４０６に排出される（ステップＳ１１５）。この場合、スリット２０８、反転ローラ対５０４、搬入ローラ対４０２、用紙受台４０３及び排出ローラ対４０７を経由してメイン排出トレイ４０６まで原稿が搬送される搬送路が第１の原稿搬送路に相当し、メイン排出トレイ４０６が第１の原稿排出部に相当する。
【００５５】
以上、ステップＳ１０１〜Ｓ１１５の処理により、原稿載置部５０１に載置されたすべての原稿の画像データが取得されると共に制御部３に記憶され、一方、後処理としてステイプル処理又はステイプル処理とパンチ処理の両方が施された原稿がメイン排出トレイ４０６に排出され、あるいはパンチ処理のみ施された原稿又は後処理が施されない原稿がサブ排出トレイ４０８に排出される。
【００５６】
次に、ステップＳ１１６で、制御部３により原稿処理モードの設定の有無が確認され、原稿処理モードの設定がされている場合、すなわち原稿に後処理を行うのみで複写を行わない場合（ステップＳ１１６でＹＥＳ）、処理を終了し、一方、原稿処理モードの設定がされていない場合（ステップＳ１１６でＮＯ）、図５を参照して制御部３からの制御信号により、例えばピックアップローラ３０６が駆動されて給紙カセット３０１から用紙が取り出され、給紙ローラ対３０９、搬送ローラ対３１２，３１３、レジストローラ対３１４が駆動されて、用紙が像形成部１００に搬送される（ステップＳ１１７）。
【００５７】
次に、制御部３からの制御信号により像形成部１００の動作が制御され、制御部３で記憶された原稿の画像データが像形成部１００に送信されると共に、像形成部１００によって原稿の画像データから得られたトナー像が像形成部１００に搬送されてきた用紙に転写され（ステップＳ１１８）、さらに定着ローラ対１０７によってトナー像が定着されて（ステップＳ１１９）原稿の画像が転写された用紙が排出ローラ対１１０によって、フィニッシャー２に搬出される。
【００５８】
次に、制御部３により画像転写後の用紙に対する後処理の設定、すなわちステイプル処理及びパンチ処理のうち少なくとも一つを行う設定の有無が確認され、後処理の設定がされていない場合（ステップＳ１２０でＮＯ）、制御部３からの制御信号に応じて搬送分岐ガイド４０９がサブ排出トレイ４０８側に切り換えられると共に搬入ローラ対４０２により搬送された原稿が排出ローラ対４１０によりサブ排出トレイ４０８に排出される（ステップＳ１２１）。
【００５９】
この場合、排出ローラ対１１０により搬送されてきた用紙が、搬入ローラ対４０２、及び排出ローラ対４１０を経由してサブ排出トレイ４０８まで搬送される搬送路が第２の用紙搬送路に相当し、サブ排出トレイ４０８が第２の用紙排出部に相当する。また、これにより、後処理の設定がされていない場合には、排出ローラ対１１０により搬送されてきた用紙が用紙受台４０３を経由せずに直接サブ排出トレイ４０８に搬送されるので、用紙をサブ排出トレイ４０８に搬送する処理がより高速になる。
【００６０】
次に、制御部３により、記憶されたすべての原稿の画像データに対して設定された複写枚数（セット数）分の画像形成処理が実行されたか否かが確認され、実行されていない場合は（ステップＳ１２２でＮＯ）、次の用紙に対して画像形成を実行すべく再びステップＳ１１７へ移行し、一方、実行された場合は（ステップＳ１２２でＹＥＳ）、処理を終了する。以上、ステップＳ１１７〜Ｓ１２１の処理により、制御部３により記憶された原稿のすべてのページの画像データに対して各複写枚数（セット数）分用紙に画像形成されてサブ排出トレイ４０８に排出される。
【００６１】
一方、後処理の設定がされている場合（ステップＳ１２０でＹＥＳ）、制御部３によりパンチ処理の設定の有無が確認され、パンチ処理の設定がされている場合（ステップＳ１２３でＹＥＳ）、制御部３からの制御信号に応じて搬入ローラ対４０２へ搬送された用紙がパンチ部４０１でパンチ処理され（ステップＳ１２４）、一方、パンチ処理の設定がされていない場合（ステップＳ１２３でＮＯ）はパンチ処理を行わずに、紙揃えを行うべくステップＳ１２５へ移行する。
【００６２】
次に、制御部３からの制御信号に応じて搬送分岐ガイド４０９が用紙受台４０３側に切り換えられると共に搬入ローラ対４０２により搬送された用紙が受台４０３側に搬送される。そして、制御部３により、ステップＳ１１２での原稿に対する紙揃え処理と同様にして、可動案内部材４１５，４１６，４１７、受台搬入ローラ対４１１，４１２，４１３，４１４、及び幅寄せ板４１９の動作が制御され、用紙受台４０３に搬入された用紙が縦横方向に紙揃えされる（ステップＳ１２５）。
【００６３】
次に、制御部３に記憶された原稿のすべてのページの画像データに対して画像形成処理が終了したか否かが確認され、すべてのページの画像データに対して画像形成処理が終了していない場合（ステップＳ１２６でＮＯ）、次のページの画像データに対して画像形成処理を実行すべく再びステップＳ１１７へ移行し、一方、すべてのページの画像データに対する画像形成処理、すなわち１セット分の画像形成処理が終了した場合（ステップＳ１２６でＹＥＳ）、ステップＳ１２７へ移行する。
【００６４】
次に、制御部３によりステイプル処理の設定の有無が確認され、ステイプル処理の設定がされている場合（ステップＳ１２７でＹＥＳ）、制御部３からの制御信号に応じて用紙受台４０３に搬入されると共に紙揃えされた用紙に対してステイプル装置４０４でステイプル処理が行われ（ステップＳ１２８）た後、一方、ステイプル処理の設定がされていない場合（ステップＳ１２７でＮＯ）は、ステイプル処理を行わずに、ステップＳ１２９へ移行する。
【００６５】
次に、制御部３からの制御信号に応じて図示しない駆動部が駆動することにより、ステイプル処理された用紙が図示しない受止部材で保持されて排出ローラ対４０７まで搬送され、排出ローラ対４０７によってメイン排出トレイ４０６に排出される（ステップＳ１２９）。この場合、排出ローラ対１１０により搬送されてきた用紙が、搬入ローラ対４０２、用紙受台４０３及び排出ローラ対４０７を経由してメイン排出トレイ４０６まで搬送される搬送路が第１の用紙搬送路に相当する。
【００６６】
次に、制御部３により設定された複写枚数（セット数）分の画像形成処理が終了したか否かが確認され、終了していない場合（ステップＳ１３０でＮＯ）は、次の１セット分の画像形成処理を制御部３に記憶された原稿の最初のページの画像データから順に実行すべく再びステップＳ１１７へ移行し、終了した場合（ステップＳ１３０でＹＥＳ）は、複写処理を終了する。
【００６７】
以上、ステップＳ１１７〜Ｓ１３０の処理により、制御部３により記憶されたすべてページの原稿の画像データに対して各複写枚数（セット数）分画像形成された用紙が、後処理としてパンチ処理及びステイプル処理の少なくとも一つが施されてメイン排出トレイ４０６に排出され、あるいは後処理を施されずにサブ排出トレイ４０８に排出される。
【００６８】
これにより、受台搬入ローラ対４１１，４１２，４１３，４１４、可動案内部材４１５，４１６，４１７、幅寄せ板４１９等からなる紙揃え機構、パンチ部４０１、及びステイプル装置４０４等の後処理機構を画像形成された用紙と原稿とで併用可能にできるので、画像形成された用紙及び原稿の両方に対して後処理できるフィニッシャーを、より低コストで実現できる。
【００６９】
また、原稿と画像形成された用紙との両方を、メイン排出トレイ４０６及びサブ排出トレイ４０８のいずれか同一の排出部に排出させることができ、原稿の取り忘れ等を防止できる。
【００７０】
また、従来例による図９、図１０に示す画像形成装置のように、複写機の上部に原稿後処理機構を備えた自動原稿送り装置１５０，１６０を備えた場合、書籍等の自動原稿送り装置が使用できない原稿の読み取りを行うときに、コンタクトガラスなどの読み取り面に原稿を載置する必要があるため、重量の重い自動原稿送り装置を持ち上げなくてはならないという不都合があるが、本実施形態による画像形成装置では、複写機本体１の上部に原稿後処理機構を備えないので、重量の軽い原稿マット２０２を持ち上げるだけでよい。
【００７１】
さらに、従来例による図９、図１０に示す画像形成装置のように、自動原稿送り装置１５０，１６０に原稿後処理機構を備えた場合、前述のように自動原稿送り装置１５０，１６０の重量は、操作上の問題からあまり重くできないため、さらにパンチ等の原稿後処理装置を自動原稿送り装置１５０，１６０に備えることは困難である。一方、本実施形態による画像形成装置では、パンチ等の種々の原稿後処理装置をフィニッシャー２に備えることが可能である。
【００７２】
なお、原稿のすべてのページの画像データを取得した後に、画像形成処理を開始する例を示したが、画像の読み取り処理と画像形成処理を並列に行って、画像の読み取りが終わったページから順に画像形成処理を行う構成としてもよい。
【００７３】
（第２実施形態の構成）
図６は本発明の第２の実施形態に係る画像形成装置の正面断面図である。図６に示す画像形成装置は、図１に示す画像形成装置と以下の点で異なる。すなわち、図６に示す原稿読取部２００は、スリット２０８を原稿読取部２００の上面、すなわちコンタクトガラス２０１と同じ面に備え、第３ミラーユニット２８０を備えない。また、図６に示す原稿送り部５００は、原稿を搬送する搬送路を原稿読取部２００の上面に設けられたスリット２０８に接するように搬送させるための搬送ローラ対５０６を備える。
【００７４】
（第２実施形態の動作）
図６に示す画像形成装置の動作は、図４に示すフローチャートにおいて、ステップＳ１０４での原稿給紙動作と、ステップＳ１０６での原稿読み取り動作とが図１に示す画像形成装置の動作と異なる。
【００７５】
図６に示す画像形成装置では、ステップＳ１０４において、原稿載置部５０１に原稿が載置されている原稿の画像を読み取る場合、制御部３からの制御信号に応じて駆動されたピックアップローラ５０２により原稿載置部５０１に載置されている原稿が一枚取り出されると共に搬入ローラ対５０３まで搬送される。そして、搬送された原稿は、制御部３からの制御信号に応じて駆動された搬入ローラ対５０３により一枚ずつスリット２０８に接触するようにして搬送ローラ対５０６へ搬送され、搬送ローラ対５０６によって反転ローラ対５０４へ搬送される。
【００７６】
この場合、スリット２０８、搬送ローラ対５０６、反転ローラ対５０４、搬入ローラ対４０２、及び排出ローラ対４１０を経由してサブ排出トレイ４０８まで原稿が搬送される搬送路が第２の原稿搬送路に相当する。
【００７７】
なお、図１に示す画像形成装置の場合と同様に、反転ローラ対５０４の上流側に用紙の搬送路を切り換える搬送分岐ガイドを備え、原稿にステイプル処理を行う設定の有無に応じて搬送分岐ガイドの方向を切り替えて、原稿を反転ローラ対５０４を経由して搬送するか否か、すなわち原稿に対するスイッチバック処理の有無を切換え可能な構成としてもよい。
【００７８】
また、ステップＳ１０６において、制御部３からの制御信号に応じて図示しない駆動モータにより第１ミラーユニット２２０及び第２ミラーユニット２４０が所定の間隔を有しつつコンタクトガラス２０１に沿って、第１ミラーユニット２２０とスリット２０８とが相対する位置（図中、破線の第１ミラーユニット２２０と第２ミラーユニット２４０の位置）まで移動され、原稿が搬入ローラ対５０３により搬送される動作と同期して第１ランプ２０３で光照射しつつスリット２０８を通して得られるフィニッシャー２側の原稿からの画像が、第１ミラーユニット２２０、第２ミラーユニット２４０、及び結像レンズ２０７を介してＣＣＤユニット２６０に結像され、ＣＣＤユニット２６０で得られた原稿の画像データが、制御部３へ出力されると共に制御部３によって記憶される。
【００７９】
これにより、フィニッシャー２側で原稿をスリット２０８に接触するようにして搬送しつつ、複写機本体１側でスリット２０８を通して得られる原稿の画像が取得されるので、この原稿１枚分の画像が走査されて制御部３によって記憶される。また、コンタクトガラス２０１上に載置された原稿から画像を読み取るための第１ミラーユニット２２０、第２ミラーユニット２４０、及びＣＣＤユニット２６０とを原稿載置部５０１に載置された原稿から画像を読み取る手段として用いることができるので、第３ミラーユニット２８０を備える必要がない。
【００８０】
（第３実施形態の構成）
図７は本発明の第３の実施形態に係る画像形成装置の正面断面図である。図７に示す画像形成装置は、図１に示す画像形成装置と、以下の構成が異なる。
【００８１】
すなわち、図７に示すフィニッシャー本体４００は、搬入ローラ対４０２によって搬送されてきた画像形成された用紙及び原稿の用紙を搬送する搬送ローラ対４２０、用紙に対する後処理が間に合わない場合に搬送されてきた用紙を退避させる退避ドラム４２１、図示しない昇降機構によって昇降可能にされると共に用紙受台４０３から搬送されてきた用紙と搬入ローラ対４０２から直接搬送されてきた用紙とを排出可能にされた複数のビンからなるメールボックス４２２及び排出トレイ４２３、搬入ローラ対４２０からの用紙の搬送方向を用紙受台４０３側とメールボックス４２２及び排出トレイ４２３に用紙を排出する排出ローラ対４０７側とに切り換える搬送分岐ガイド４２４、用紙受台４０３に搬入された用紙にステイプル処理を施すステイプル装置４２５、用紙受台４０３に搬入された用紙の下部端を受け止めて保持する受止部材４２６、用紙受台４０３から下部方向に向かって用紙を搬送する搬送ローラ対４２７、搬送ローラ対４２７から搬送されてきた用紙を中央で折りたたんでブック綴じするブック綴じ部４２８、及びブック綴じ部４２８でブック綴じされた用紙が排出される排出トレイ４２９を備える。
【００８２】
また、図７に示すフィニッシャー本体４００は、図１に示すフィニッシャー本体４００と同様、受台搬入ローラ対４１１，４１２，４１３，４１４、可動案内部材４１５、４１６、４１７、静止案内部４１８、及び幅寄せ板４１９を備えるが、図示を省略している。また、図７に示す原稿送り部５００は、反転ローラ対５０４を備えず、搬送ローラ対５０６を備える。
【００８３】
ステイプル装置４２５は、制御部３からの制御信号により駆動する図示しない駆動部により移動可能に構成され、用紙受台４０３に搬入された用紙に通常のステイプル処理を行う場合は用紙の端付近の位置に移動させられると共に用紙の端付近にステイプル処理を施し、ブック綴じを行う場合には用紙の中央付近に移動させられると共に用紙の中央付近にステイプル処理を施して中綴じを行う。
【００８４】
ブック綴じ部４２８は、ステイプル装置４２５で中綴じされた用紙を載置する中綴じ受台４３０、搬送ローラ対４２７から搬送されてきた用紙を中綴じ受台４３０へ搬入する搬入ローラ対４３１、中綴じ受台４３０に載置された用紙の中央付近の表裏を挟み込むように相対して設けられた押し込み部材４３２及び中折ローラ対４３３、及び中折ローラ対４３３により中折されてブック綴じ状態にされた用紙を排出トレイ４２９へ排出する排出ローラ対４３４を備える。
【００８５】
押し込み部材４３２は、図示しない駆動部により移動可能に構成され、中折ローラ対４３３方向へ移動させられることにより、中央付近をステイプルによって中綴じされると共に中綴じ受台４３０に載置された用紙の中央付近を中折ローラ対４３３へ向かって押し込んで、中折するものである。
【００８６】
中折ローラ対４３３は、押し込み部材４３２により押し込まれた用紙を、折りたたんでブック綴じ状態にすると共に排出ローラ対４３４へ搬送し、排出ローラ対４３４によって、ブック綴じされた用紙が、排出トレイ４２９へ排出される。
【００８７】
また、図７に示す画像形成装置においては、原稿及び画像形成された用紙を排出するメールボックス４２２の排出ビンを選択する設定、及び用紙に対する後処理の設定として、画像転写後の用紙にブック綴じ処理を行う設定と、原稿載置部５０１に載置されている原稿にブック綴じ処理を行う設定とが操作表示部６００を用いて設定可能にされている。
【００８８】
（第３実施形態の動作）
図７に示す画像形成装置は、図１に示す画像形成装置とは、フィニッシャー２において原稿及び画像形成された用紙を排出するための搬送経路と排出部とがことなる。また、原稿及び画像形成された用紙に対する後処理として、ブック綴じ処理が可能である点でことなる。
【００８９】
すなわち、図７に示す画像形成装置において、複写機本体１から排出ローラ対１１０により搬入された用紙は、制御部３からの制御信号に応じて、搬入ローラ対４０２により、パンチ部４０１でパンチ処理可能な位置まで搬送され、パンチ処理を行う設定の有無に応じてパンチ処理が施されあるいは施されることなく、搬入ローラ対４０２により搬送ローラ４２０へ搬送され、搬送分岐ガイド４２４が排出ローラ対４０７側に切り換えられることにより排出ローラ対４０７へ搬送される。
【００９０】
そして、制御部３からの制御信号に応じて図示しない昇降機構が駆動され、メールボックス４２２の排出ビンを選択する設定がされている場合は、設定された排出ビンの位置が排出ローラ対４０７の排出位置になるようにメールボックス４２２及び排出トレイ４２３が昇降され、メールボックス４２２の排出ビンを選択する設定がされていない場合は、排出トレイ４２３の位置が排出ローラ対４０７の排出位置になるようにメールボックス４２２及び排出トレイ４２３が昇降される。そして、排出ローラ対４０７によって、前記排出ビンの設定内容に応じた排出部に用紙が排出される。
【００９１】
この場合、排出ローラ対１１０により搬入されてきた用紙が、搬入ローラ対４０２、搬送ローラ４２０及び排出ローラ対４０７を経由してメールボックス４２２及び排出トレイ４２３まで搬送される搬送路が第２の用紙搬送路に相当する。
【００９２】
また、原稿の画像を読み取るために、あるいは原稿に対してパンチ処理を施すために、原稿載置部５０１に載置されている原稿にステイプル処理を施すことなく排出する場合、原稿載置部５０１に載置されている原稿が、制御部３からの制御信号に応じて、ピックアップローラ５０２により一枚取り出されると共に搬入ローラ対５０３へ搬送され、搬入ローラ対５０３により一枚ずつスリット２０８に接触するようにして搬送ローラ対５０６へ搬送され、さらに搬送ローラ対５０６により搬入ローラ対４０２へ搬送され、以降、上記複写機本体１から搬入された用紙と同様にして、前記排出ビンの設定内容に応じた排出部に原稿が排出される。
【００９３】
この場合、スリット２０８、搬送ローラ対５０６、搬入ローラ対４０２、搬送ローラ４２０及び排出ローラ対４０７を経由してメールボックス４２２及び排出トレイ４２３まで搬送される搬送路が第２の原稿搬送路に相当する。
【００９４】
また、原稿載置部５０１に載置されている原稿の用紙、及び画像形成された用紙に対してステイプル処理を行う場合、これらの用紙は、それぞれ上記ステイプル処理を行わない場合と同様にして搬送ローラ４２０まで搬送された後、搬送分岐ガイド４２４が用紙受台４０３側に切り換えられることにより受台搬入ローラ対４１１によって、用紙受台４０３に搬入される。
【００９５】
そして、用紙受台４０３に搬入された用紙にブック綴じ処理を行わない場合は、ステイプル装置４２５が用紙の端部付近に移動され、用紙の端部付近にステイプル処理がされた後、受止部材４２６によって保持されたステイプル処理済の用紙が排出ローラ対４０７へ搬送され、排出ローラ対４０７によって前記排出ビンの設定内容に応じた排出部に原稿が排出される。
【００９６】
一方、用紙受台４０３に搬入された用紙にブック綴じ処理を行う場合は、ステイプル装置４２５が用紙の中央付近に移動され、用紙の中央付近にステイプル処理がされて中綴じ状態にされた後、中綴じされた用紙は、搬送ローラ対４２７によってブック綴じ部４２８へ搬送され、ブック綴じ部４２８でブック綴じされた後、排出トレイ４２９に排出される。
【００９７】
この場合、排出ローラ対１１０により搬入されてきた用紙が、搬入ローラ対４０２、搬送ローラ４２０、受台搬入ローラ対４１１、用紙受台４０３及び排出ローラ対４０７を経由してメールボックス４２２及び排出トレイ４２３まで搬送される搬送路と、排出ローラ対１１０により搬入されてきた用紙が、搬入ローラ対４０２、搬送ローラ４２０、受台搬入ローラ対４１１、用紙受台４０３、搬送ローラ対４２７、及びブック綴じ部４２８を経由して排出トレイ４２９まで搬送される搬送路とが第１の用紙搬送路に相当する。
【００９８】
また、原稿載置部５０１に載置されている原稿の用紙が、スリット２０８、搬送ローラ対５０６、搬入ローラ対４０２、搬送ローラ４２０、受台搬入ローラ対４１１、用紙受台４０３及び排出ローラ対４０７を経由してメールボックス４２２及び排出トレイ４２３まで搬送される搬送路と、原稿載置部５０１に載置されている原稿の用紙が、スリット２０８、搬送ローラ対５０６、搬入ローラ対４０２、搬送ローラ４２０、受台搬入ローラ対４１１、用紙受台４０３、搬送ローラ対４２７、及びブック綴じ部４２８を経由して排出トレイ４２９まで搬送される搬送路とが第１の原稿搬送路に相当する。
【００９９】
この場合、後処理としてブック綴じ処理、およびメールボックスへの仕分け処理を行うことができる。
【０１００】
（第４実施形態の構成）
図８は本発明の第４の実施形態に係る画像形成装置の正面断面図である。図８に示す画像形成装置は、図１に示す画像形成装置と以下の点で異なる。すなわち、図８に示す複写機本体１は、例えばパーソナルコンピュータ等の外部装置から原稿画像を表わしたデジタル画像データを受信して画像形成を行うプリンター等の画像形成装置であり、原稿読取部２００を備えず、制御部３が、フィニッシャー２で得られた画像データを受信すると共に記憶し、この画像データを用いて画像形成処理を行うことにより、複写機として動作する。
【０１０１】
また、フィニッシャー２において、原稿送り部５００は、原稿載置部５０１から取り出されて搬送される原稿の画像データを取得して制御部３へ出力するスキャナ等からなる原稿読取部５０７と、画像が読み取られた原稿を搬送する搬送ローラ対５０６とを備える。
【０１０２】
（第４実施形態の動作）
図８に示す画像形成装置は、図４に示すフローチャートにおいて、ステップＳ１０３及びステップＳ１０５の処理を行わない。また、ステップＳ１０４での原稿給紙動作と、ステップＳ１０６での原稿読み取り動作とが図１に示す画像形成装置の動作と異なる。
【０１０３】
すなわち、図８に示す画像形成装置では、ステップＳ１０４において、制御部３からの制御信号に応じて、ピックアップローラ５０２により原稿載置部５０１に載置されている原稿が一枚取り出されると共に搬入ローラ対５０３へ搬送され、搬入ローラ対５０３により一枚ずつ原稿読取部５０７の原稿読み取り位置を通過して搬送ローラ対５０６へ搬送され、搬送ローラ対５０６により搬入ローラ対４０２へ搬送され、パンチ部４０１でパンチ処理可能な位置まで搬送される。
【０１０４】
また、原稿が原稿読取部５０７の原稿読み取り位置を通過して搬送されるときに同期して、原稿読取部５０７により、原稿の画像が読み取られると共に得られた画像データが制御部３へ出力される。
【０１０５】
また、ステップＳ１０６では、原稿読取部５０７で得られた原稿の画像データが、制御部３で受信されると共に制御部３によって記憶される。
【０１０６】
これにより、原稿の画像を読み取る機構を備えないプリンター等の画像形成装置を、フィニッシャー２と組み合わせることにより複写機として用いることができる。
【０１０７】
【発明の効果】
請求項１記載の発明によれば、転写紙に後処理を行うための前記後処理部を用いて原稿に後処理を施すことが可能になるので、前記転写紙に後処理を行うための後処理部を、原稿に後処理を施すために併用することができる。
【０１０８】
請求項２記載の発明によれば、転写紙が前記搬出口から用紙排出部に直接搬送されるので、転写紙をより高速に用紙排出部に搬送できる。
【０１０９】
請求項３記載の発明によれば、第１の用紙搬送路に導かれた転写紙は第１の用紙排出部に排出され、第２の用紙搬送路に導かれた転写紙は第２の用紙排出部に排出されるので、後処理の内容に応じて転写紙を排出する排出部を切り換えることができる。
【０１１０】
請求項４記載の発明によれば、原稿が前記画像読み取り位置から前記原稿排出部に直接搬送されるので、原稿をより高速に前記原稿排出部に搬送できる。
【０１１１】
請求項５記載の発明によれば、第１の原稿搬送路に導かれた原稿は第１の原稿排出部に排出され、第２の原稿搬送路に導かれた原稿は第２の原稿排出部に排出されるので、後処理の内容に応じて原稿を排出する排出部を切り換えることができる。
【０１１２】
請求項６記載の発明によれば、前記第１の用紙搬送路に導かれた転写紙と、前記第１の原稿排出部に導かれた原稿とは共通する排出部へ排出されるので、個別に排出部を設ける必要がない。
【０１１３】
請求項７記載の発明によれば、前記転写紙にステイプル処理を行うためのステイプル装置を、原稿にステイプル処理を施すために併用することができる。
【０１１４】
請求項８記載の発明によれば、前記転写紙に穿孔処理を行うための穿孔装置を、原稿に穿孔処理を施すために併用することができる。
【０１１５】
請求項９記載の発明によれば、転写紙が、前記穿孔装置を介してステイプル装置の手前から第２の用紙排出部へ排出されるので、転写紙を、ステイプル装置を介することなく短い経路で直接第２の用紙排出部へ排出することができる。
【０１１６】
請求項１０記載の発明によれば、搬送中の原稿の画像を撮像する撮像手段が前記画像読み取り位置に配置されるので、前記画像形成装置本体が原稿の画像を撮像する手段を備える必要がない。
【０１１７】
請求項１１記載の発明によれば、原稿の画像が転写された転写紙に対して後処理を行うことができる。
【０１１８】
請求項１２に記載の発明によれば、コンタクトガラス面に載置された原稿の画像を撮像部に導く光学式原稿読み取り部が有する前記光源及びミラーの少なくともミラーを、前記原稿送り部から送り出された原稿の画像を前記撮像部へ導くために兼用できる。
【０１１９】
請求項１３記載の発明によれば、画像形成装置本体に配設されたオプション読取部により前記画像形成装置用フィニッシャーで搬送中の原稿の画像が読み取られるので、前記画像形成装置用フィニッシャーが原稿の画像を読み取る手段を備える必要がない。
【図面の簡単な説明】
【図１】本発明の第１の実施形態に係る画像形成装置の正面断面図である。
【図２】本発明の第１の実施形態に係る画像形成装置のブロック図である。
【図３】本発明の第１の実施形態に係る操作画面６０１の一例を示す図である。
【図４】本発明の第１の実施形態に係る画像形成装置の動作を説明するためのフローチャートである。
【図５】本発明の第１の実施形態に係る画像形成装置の動作を説明するためのフローチャートである。
【図６】本発明の第２の実施形態に係る画像形成装置の正面断面図である。
【図７】本発明の第３の実施形態に係る画像形成装置の正面断面図である。
【図８】本発明の第４の実施形態に係る画像形成装置の正面断面図である。
【図９】従来例による原稿後処理装置の断面図である。
【図１０】従来例による原稿後処理装置の断面図である。
【符号の説明】
１　　　　　　複写機本体
２　　　　　　フィニッシャー
３　　　　　　制御部
１００　　像形成部
１０１　　感光体
１０２　　帯電部
１０３　　現像部
１０４　　クリーニング部
１０５　　レーザ走査ユニット
１０６　　転写ローラ
１０７　　定着ローラ対
１０８　　用紙排出部
１０９　　排出ローラ対
１１０　　排出ローラ対（搬出口）
１１１　　排出分岐ガイド
１５１　　複写機
１５２　　原稿
１５３　　原稿載置台
１５４　　コンタクトガラス
１５５　　原稿排出トレイ
１５６　　ステイプル装置
１６０　　自動原稿送り装置
１６１　　複写機
１６２　　原稿載置台
１６３　　原稿読み取り位置
１６４　　原稿排出トレイ
１６５　　側板
１６６　　規制板
１６７　　ステイプル装置
２００　　原稿読取部
２０１　　コンタクトガラス（原稿台）
２０２　　原稿マット
２０３　　第１ランプ
２０４　　第１ミラー
２０５　　第２ミラー
２０６　　第３ミラー
２０７　　結像レンズ
２０８　　スリット（オプション読取部）
２０９　　第２ランプ
２１０　　第４ミラー
２２０　　第１ミラーユニット（メイン読取部）
２４０　　第２ミラーユニット（メイン読取部）
２６０　　ＣＣＤユニット
２８０　　第３ミラーユニット（オプション読取部）
３００　　給紙部
３０１　　給紙カセット
３０３　　手差し給紙部
３０４　　搬送路
３０５　　搬送路
３０６　　ピックアップローラ
３０９　　給紙ローラ対
３１２　　搬送ローラ対
３１４　　レジストローラ対
４００　　フィニッシャー本体
４０１　　パンチ部（穿孔装置）
４０２　　搬入ローラ対
４０３　　用紙受台
４０４　　ステイプル装置
４０５　　昇降機構
４０６　　メイン排出トレイ（第１の用紙排出部、第１の原稿排出部）
４０７　　排出ローラ
４０７　　排出ローラ対
４０８　　サブ排出トレイ（第２の用紙排出部、第２の原稿排出部）
４０９　　搬送分岐ガイド（用紙搬送路切換え部）
４１０　　排出ローラ対
４１１，４１２，４１３，４１４　　受台搬入ローラ対
４１５，４１６，４１７　　可動案内部材
４１８　　静止案内部
４１９　　幅寄せ板
４２０　　搬送ローラ対
４２１　　退避ドラム
４２２　　メールボックス（第１及び第２の用紙排出部、第１及び第２の原稿排出部）
４２３　　排出トレイ（第１及び第２の用紙排出部、第１及び第２の原稿排出部）
４２４　　搬送分岐ガイド（用紙搬送路切換え部）
４２５　　ステイプル装置
４２６　　受止部材
４２７　　搬送ローラ対
４２８　　ブック綴じ部
４２９　　排出トレイ（第１の用紙排出部、第１の原稿排出部）
４３０　　中綴じ受台
４３１　　搬入ローラ対
４３２　　押し込み部材
４３３　　中折ローラ対
４３４　　排出ローラ対
５００　　原稿送り部
５０１　　原稿載置部
５０２　　ピックアップローラ
５０３　　搬入ローラ対
５０４　　反転ローラ対
５０５　　原稿検出スイッチ
５０６　　搬送ローラ対
５０７　　原稿読取部
６００　　操作表示部
６０１　　操作画面
６０２　　スタートキー
６０３　　セットキー
６０４，６０６　　ステイプルキー
６０５，６０７　　パンチキー
６０８　　原稿処理モードキー
【図１】
2004109646.tif 000003
【図２】
2004109646.tif 000004
【図３】
2004109646.tif 000005
【図４】
2004109646.tif 000006
【図５】
2004109646.tif 000007
【図６】
2004109646.tif 000008
【図７】
2004109646.tif 000009
【図８】
2004109646.tif 000010
【図９】
2004109646.tif 000011
【図１０】
2004109646.tif 000012